(57)【要約】【課題】  各装置の調整や交換作業が容易に短時間で対応できると共に、電気信号及び機構的回転の安定を図ることが可能なＸ線ＣＴ装置を提供すること。【解決手段】患者が載置される寝台と、この寝台の周りに回転し、内周部及び外周部に通ずる複数の開口部を有する架台回転体と、この架台回転体の前記内周部に設置されるＸ線放射部と、このＸ線放射部に対向して前記架台回転体の前記内周部に設置され、前記Ｘ線放射部から放射され前記患者を透過したＸ線を検出するＸ線検出部と、前記架台回転体の外に設けられ前記Ｘ線検出部及び前記Ｘ線放射部へ電力を供給する電力供給部と、を備え、前記電力供給部と前記Ｘ線放射部及び前記Ｘ線検出部を接続する給電線は、前記架台回転体の外周部に配設され、前記Ｘ線放射部及び前記Ｘ線検出部各々に近い位置に設けられた前記開口部を通して、前記Ｘ線放射部及び前記Ｘ線検出部各々に接続されることを特徴するＸ線ＣＴ装置。【選択図】図１
2010252913.tif 000002
【特許請求の範囲】
【請求項１】
患者が載置される寝台と、
この寝台の周りに回転し、内周部及び外周部に通ずる複数の開口部を有する架台回転体と、
この架台回転体の前記内周部に設置されるＸ線放射部と、
このＸ線放射部に対向して前記架台回転体の前記内周部に設置され、前記Ｘ線放射部から放射され前記患者を透過したＸ線を検出するＸ線検出部と、
前記架台回転体の外に設けられ前記Ｘ線検出部及び前記Ｘ線放射部へ電力を供給する電力供給部と、を備え、
前記電力供給部と前記Ｘ線放射部及び前記Ｘ線検出部を接続する給電線は、前記架台回転体の外周部に配設され、前記Ｘ線放射部及び前記Ｘ線検出部各々に近い位置に設けられた前記開口部を通して、前記Ｘ線放射部及び前記Ｘ線検出部各々に接続されることを特徴するＸ線ＣＴ装置。
【請求項２】
患者が載置される寝台と、
この寝台の周りに回転し、内周部及び外周部に通ずる複数の開口部を有する架台回転体と、
この架台回転体の前記内周部に設置されるＸ線放射部と、
このＸ線放射部に対向して前記架台回転体の前記内周部に設置され、前記Ｘ線放射部から放射され前記患者を透過したＸ線を検出するＸ線検出部と、
前記架台回転体の外に設けられ前記Ｘ線検出部及び前記Ｘ線放射部へ電力を供給する電力供給部と、
前記架台回転体の外に設けられ前記Ｘ線検出器により検出された透過Ｘ線から前記患者のデータを収集するＸ線データ収集部と、
前記電力供給部と前記Ｘ線放射部及び前記Ｘ線検出部を接続する給電線と、
前記Ｘ線検出部と前記Ｘ線データ収集部を接続する信号線と、を備え、
前記給電線及び前記信号線は前記架台回転体の前記外周部に配設され、この外周部に配設された前記給電線と前記Ｘ電力供給部は給電スリップリング機構を介して接続され、前記外周部に配設された前記信号線と前記Ｘ線データ収集部は信号系スリップリング機構を介して接続され、前記給電線と前記前記Ｘ線放射部及び前記Ｘ線検出部は前記前記Ｘ線放射部及び前記Ｘ線検出部に近い位置に設けられた前記開口部を通して接続され、前記信号線と前記Ｘ線検出部は前記Ｘ線検出部に近い前記開口部を通して接続されることを特徴とするＸ線ＣＴ装置。
【発明の詳細な説明】
【技術分野】
【０００１】
本発明は、Ｘ線ＣＴ装置に係わり、特にその架台回転体に搭載される複数のユニットへの電源配線及び信号線配線の改良に関する。
【背景技術】
【０００２】
Ｘ線ＣＴ装置はＣＴ寝台に載置される患者の周囲を回転する架台回転体を有し、Ｘ線発生管装置、高電圧発生装置、Ｘ線管制御装置、検出器マトリックス、検出器制御装置、検出データ装置など、多数の機能ユニットが、通常、この架台回転体の内側に搭載される。
【０００３】
従来、これらの機能ユニットの電力供給線やこれら機能ユニット相互間の制御信号及びデータ信号の信号伝送線は、供給電力量や信号・データのタイプに対応させた線材が選択され、分岐、集合して束線化されたケーブルなどで、架台回転体の内側において、各機能ユニットへ配線され、接続されて、複雑であった。
【０００４】
そのためユニットの調整や交換、保守などの作業では、大変、煩雑であった。特に、架台回転部では、大重量の回転架台が、高速で回転するため、束線化配線方法のばらつきによって、回転バランスに影響を与え、点検や保守作業の後に回転バランスを再調整する作業を要する場合もあった。
【０００５】
また、一般的なＸ線ＣＴ装置においては、架台回転体に搭載される各機能ユニットへの電力の供給、または各種信号の伝達は、架台固定部と架台回転体とに設けられたスリップリング機構（例えば、特許文献１参照）を介して行われる。このスリップリング機構により、ＣＴ画像データの取得中の高速回転をする架台回転部に一旦取り込まれた供給電力、または信号・データは、対象の機能ユニット各部に対し、前述の架台回転部の内側を分岐、集合した束線化されたケーブルを介して、これらの目的の各機能ユニットに供給、伝達する束線の敷設が行われる。
【先行技術文献】
【特許文献】
【０００６】
【特許文献１】特開平７−２３９４１号公報
【発明の概要】
【発明が解決しようとする課題】
【０００７】
上述のように従来のＸ線ＣＴ装置では、架台回転部の電力線や信号線などの配線は通常、回転体の内側に設けられる。しかし、このように架台回転体の内側に設けると、架台搭載ユニットに接続するケーブルが複雑となる。
【０００８】
このため、束線の複雑な引き回しのバラツキにより、信号線相互及び電力線からの影響を受け、ノイズの混入、及び信号情報の不安定が発生する可能性があった。また、不均等な束線の配置により、架台回転体の回転バランスに影響を与え、回転ムラや騒音発生の可能性もあった。
【０００９】
本発明は上記事情に鑑みてなされたもので、各装置の調整や交換作業が容易に短時間で対応できると共に、電気信号及び機構的回転の安定を図ることが可能なＸ線ＣＴ装置を提供することを目的とする。
【課題を解決するための手段】
【００１０】
上記の課題を解決するために、本発明の請求項１によれば、患者が載置される寝台と、この寝台の周りに回転し、内周部及び外周部に通ずる複数の開口部を有する架台回転体と、この架台回転体の前記内周部に設置されるＸ線放射部と、このＸ線放射部に対向して前記架台回転体の前記内周部に設置され、前記Ｘ線放射部から放射され前記患者を透過したＸ線を検出するＸ線検出部と、前記架台回転体の外に設けられ前記Ｘ線検出部及び前記Ｘ線放射部へ電力を供給する電力供給部と、を備え、前記電力供給部と前記Ｘ線放射部及び前記Ｘ線検出部を接続する給電線は、前記架台回転体の外周部に配設され、前記Ｘ線放射部及び前記Ｘ線検出部各々に近い位置に設けられた前記開口部を通して、前記Ｘ線放射部及び前記Ｘ線検出部各々に接続されることを特徴するＸ線ＣＴ装置を提供する。
【発明の効果】
【００１１】
本発明によれば、各装置の調整や交換作業が容易に短時間で対応できると共に、電気信号及び機構的回転の安定を図ることが可能なＸ線ＣＴ装置が得られる。
【図面の簡単な説明】
【００１２】
【図１】本発明の第１及び第２の実施形態に係るＸ線ＣＴ装置における架台回転部の主要部構成図。
【図２】本発明に係るＸ線ＣＴ装置の全体構成を示す図。
【図３】本発明の第３の実施形態に係る架台回転部の構成を示す図。
【発明を実施するための形態】
【００１３】
以下、本発明の実施形態について説明する。
【００１４】
本発明の実施形態に係るＸ線ＣＴ装置１０は、図２に示すように、架台回転体１１と、この架台回転体１１を回転させる架台回転駆動部１２ａと、架台回転体１１の中心部位置に設けられる寝台２５を移動させる寝台移動部１２ｂと、これらの架台の回転及び寝台２５の移動を制御する架台寝台制御部１２と、架台回転体１１内の患者２５ａに放射される放射Ｘ線を制御するＸ線制御部１３と、Ｘ線放射により患者２５ａから得られたデータの収集を制御するデータ収集制御部１４と、データのないところの補間処理を行うための補間処理部１５と、補間処理されたデータから画像を再構成する画像再構成部１６と、再構成され表示処理された画像信号を表示する表示部１７と、データを入力する操作卓１８と、これら、Ｘ線制御部１３、データ収集処理部１４、補間処理部１５、操作卓１８などに対するシステム全体を制御するシステム制御部１９とを有する。
【００１５】
架台回転体１１は、その内周部の壁に配設されるＸ線管３０と、これに上記寝台２５を介して対向する内周部の壁に配設されるＸ線検出器４０と、Ｘ線管３０を駆動する高電圧発生装置３１と、Ｘ線管３０の近傍に設置され前記Ｘ線管３０のＸ線を制御するＸ線管制御装置３２と、Ｘ線検出器４０の近くに設けられ、これによる検出データを所定のスキャン方式に対応させＣＴ画像データとして収集する検出データ収集装置４１と、Ｘ線検出器４０の検出素子を所定のスキャン方式に対応させる制御を行う検出器制御装置４２とを備える。この架台回転体１１は、これら搭載の装置、機器も共に回転する架台回転部６０を構成する。
【００１６】
架台回転体１１の回転中心部近くに、長方形状の寝台２５が長手方向に水平移動可能に設けられる。架台固定部７０は、寝台２５及びその支持部（図示せず）と、架台回転駆動部１２ａ及び寝台移動部１２ｂと、これらを制御する架台寝台制御部１２と、架台回転モータ２３と、Ｘ線ＣＴ装置１０の外部から架台回転部６０へ電力を供給する電力供給部５０とから成る。
【００１７】
電力供給部５０に接続される給電線は、図２に示すように、給電スリップリング機構、すなわち固定されている給電スリップブラシ群５１ｂと、回転する給電スリップリング群５１ｓにより、架台回転体の外周部に設けられている給電線５５に電気的に接続される。
【００１８】
給電スリップブラシ群５１ｂは架台固定部７０の電力供給部５０からの電力供給のための給電線５０Ｌに接続される。給電スリップブラシ群５１ｂは、架台回転体１１の側壁部に環状に配置され、共に回転する給電スリップリング群５１ｓに各々接触滑走して、回転する架台回転部６０へ電力供給を行う。
【００１９】
このように架台回転部６０と架台固定部７０により、Ｘ線ＣＴ装置の架台部が構成される。架台回転体１１のほぼ中央に設置された寝台２５の上に検査対象の患者２５ａが横たわる。
【００２０】
架台回転部６０は、例えば撮影室に設置される。架台回転駆動部１２ａと寝台移動部１２ｂと、これらの作動を制御する架台寝台制御部１２も通常、撮影室に設けられる。
【００２１】
一方、別室の例えば操作観察室には、Ｘ線ＣＴ装置１０のシステム全体を制御するシステム制御部１９が設けられ、これにシステム全体を操作する操作卓１８が接続される。
【００２２】
この操作卓１８から行う操作により、システム制御部１９から、撮影室の架台寝台制御部１２、及びＸ線制御部１３へ制御信号が出力される。
【００２３】
この制御信号に基づいて、Ｘ線制御部１３はＸ線管３０から寝台２５上の患者２５ａにＸ線を放射する。患者２５ａを透過したＸ線はＸ線検出器４０により収集される。収集された透過Ｘ線の信号はＣＴ画像データとして、データ収集処理部１４において処理され、補間処理部１５により補間処理される。補間処理されたＣＴ画像データは画像再構成部１６において再構成され、表示部１７にＣＴ画像として表示される。
【００２４】
＜第１の実施形態＞
本発明の第１の実施形態に係るＸ線ＣＴ装置について、図１（ａ）（ｂ）を用いて説明する。図１（ａ）は、この実施形態に係るＸ線ＣＴ装置において、架台回転体１１の回転軸を横方向に見る側面図を示し、図１（ｂ）は、架台回転体１１を回転軸の方向から見た正面図を示す。
【００２５】
電力供給のための給電線５５と制御入力信号及び出力信号を通す信号線８０は、図１（ａ）に示すように、架台回転体１１の胴筒１１ｓの外周部２１に、ほぼ一周するように敷設される。
【００２６】
信号線８０は、データ・制御系導線群の入力情報信号線４５と、この出力情報信号線３５と、架台回転部の機器・装置間相互の接続導線群の相互信号線８５とから成る。
【００２７】
給電線５５と信号線８０は分離して設置され、さらにこれら導線群各ラインは、導線相互で重なることのないよう平坦に配列して敷設、設置される。
【００２８】
給電線５５は、以下に説明する構成により、架台回転体１１に配置されるＸ線管３０を駆動する高電圧大電流電力、及び架台回転体１１の内側に配設される機器・装置を駆動する低電圧電力の供給を行う。
【００２９】
架台回転体１１の胴筒１１ｓの環状側面部１１ａには、同心環状の給電スリップリング群５１ｓが設けられる。さらに、これら給電スリップリング群５１ｓに滑動接触する給電スリップブラシ群５１ｂを架台固定部７０に備える。各々のスリップリングブラシは電力供給部５０からの電力供給線５０Ｌ各々に接続される。この接続対を成す給電スリップリング群５１ｓと給電スリップブラシ群５１ｂは、本実施形態の架台回転部６０に配設される機器、装置に供給されるべき電力量及びその電圧種別に対応して設けられる。給電スリップリング群５１ｓの各々と、外周部２１に敷設した前記給電線５５の導線の各々は接続ケーブル群５５ｃにより各々接続される。
【００３０】
給電線５５に対応する導線群は、図１（ａ）に破線で表示するように、給電スリップリング群５１ｓより引出されて、架台回転体１１の内側に一旦引き込まれる。引き込まれた導線群は実線で表示されるように、胴筒１１ｓを内側から外側へ貫通する開口部５２ａを介して、外周部２１側へ引出され、給電線５５の導線各々に接続される。このようにして簡潔で短い距離で接続することが可能となる。
【００３１】
なお、給電スリップリング群５１ｓは環状の走行長ができるだけ短くなる架台回転体１１の回転軸に近い位置に設けられる。したがって、滑走音による騒音を抑え、走行により生ずる摩耗を抑えて粉塵を少なくすることができる。
【００３２】
一方、架台回転部６０に配設される機器（３０、４０）及び装置（３１、３２、４１、４２）に対する、架台固定部７０（図２参照）のＸ線制御部１３、またはデータ収集制御部１４への接続は、途中に信号系スリップリング機構を有する信号線によりなされている。
【００３３】
架台回転体１１のもう一方の環状側面部１１ｂ、または前記給電スリップリング群５１ｓと同じ側の側面部１１ａで回転軸からの距離が異なる位置に、入出力情報の信号系スリップリング機構を設ける。この信号系スリップリング機構は信号系スリップリング群と信号系スリップブラシ群から成る。信号系スリップリング群は入力情報の信号系スリップリング群３５ｓ’、及び出力情報の信号系スリップリング群４５ｓ’である。
【００３４】
更に、Ｘ線制御部１３及びデータ収集制御部１４から機器３０、４０、または装置３１、３２、４１、４２へ入力する情報に対する（入力情報）信号系スリップリングブラシ群３５ｂを、滑動接触するよう架台固定部７０に設ける。信号系スリップリング群に対し、装置４１、４２からデータ収集制御部１４へ出力する情報に対する（出力情報）信号系スリップリングブラシ群４５ｂも、滑動接触するように架台固定部７０に設ける。
【００３５】
このようにして、信号系スリップリング群３５ｓと信号系スリップリング群４５ｓの各スリップリング各々を、架台固定部７０のＸ線制御部１３またはデータ収集制御部１４に対する入出力端子部とすることができる。
【００３６】
さらに、架台回転体１１の外周部２１に、一周またはほぼ一周するようにデータ・制御系導線群の信号線８０を幅広の縦列と成るように敷設する。この信号線８０は、上述の信号系スリップリング群３５ｓ及び信号系スリップリング群４５ｓから、前記給電線５５と同様に架台回転体１１の内側に一旦引き込み、例えば開口部２２ｃ(図１（ａ）)を介して、外周部２１側へ引出した接続ケーブル群３５ｃ、及び４５ｃにより接続したデータ・制御系導線群の出力情報信号線３５と、及び入力情報信号線４５と、更に架台回転体１１に搭載した機器（３０、４０）、装置（３１、３２、４１、４２）各々相互間での入出力信号の接続を、近傍の各開口部を介して行った相互接続の導線群である相互信号線８５と、により構成される。
【００３７】
以上の構成により、本実施形態に係るＸ線ＣＴ装置の架台回転部６０では、架台回転体１１の内側部に、Ｘ線管３０、Ｘ線検出器４０の各機器、及び高電圧発生装置３１、Ｘ線管制御装置３２、検出データ収集装置４１、検出器制御装置４２などの各装置を設置する。
【００３８】
また、これら装置に対する電力供給導線、及び入出力の信号・データの接続導線の全ても、架台回転体１１の胴筒１１ｓの外周部２１に、給電線５５、及び信号線８０として設ける。
【００３９】
すなわち、架台回転部６０に設けられた機器（３０、４０）、装置（３１、３２、４１、４２）に対し、これらの所定の電源部端子、または信号部端子から引き出された、例えば接続リード線群３１ａ、３２ａ、４１ａ、４２ａの各々が、これらの機器、装置の近傍において、架台回転体１１の胴筒１１ｓを貫通するように設ける、例えば開口部２２ａ、２２ｃ、２２ｄ、２２ｆなどのいずれかを介して、胴筒１１ｓの外周部２１に引き出される。
【００４０】
更に、この引き出された接続リード線各々は、外周部２１に敷設した信号線８０、すなわち詳しくはデータ・制御系導線群の出力情報信号線３５、入力情報信号線４５、または相互信号線８５ａいずれか対応する導線各々に、接続できる。そしてこの接続は、機器・装置間では、空間的にも、電気的にも、十分な間隔を持って、外周部２１において行われる。
【００４１】
また、入力情報と出力情報の信号線４５、３５、及び相互信号線８５にあっては、この外周部２１には大きな装置ブロックまたはユニットが設置されないので、この複数の導線を扁平の幅広帯状に配したリボン状接続ケーブル（フラットケーブル）による配線の技法を利用することもできる。これら信号線８０による機器・装置に対する接続導線の配置において、その経路に障害無しで、環状の直線的な敷設をすることができ、ＣＴ装置内の架台回転部７０における入力信号情報を信号線４５、出力信号情報を信号線３５、及びに機器/装置間相互を相互信号線８５をまとめて、信号バス配線のラインとして、架台回転部２０に設置し、載せるようにしても良い。
【００４２】
さらに、架台回転部２０の胴筒の内部への給電線５５または入力情報と出力情報の信号線４５、３５、及び８５に対する引き込みは、接続対象のユニットまたは装置の付近に設けた架台回転部の内側へ貫通する開口部５２ａ〜５２ｆまたは開口部２２ａ〜２２ｆを通してなされる。
【００４３】
なお、図１（ｂ）に示すように、例えば接続ケーブル４１ａ及び接続コネクタ４１ｃにより検出データ収集装置４１へ、接続ケーブル４２ａ及び接続コネクタ４２ｃにより検出器制御装置４２へ、接続ケーブル３１ａ及び接続コネクタ３１ｃにより高電圧発生装置３１へ、接続ケーブル３２ａ及び接続コネクタ３２ｃによりＸ線管制御装置へ接続するようにしてもよい。
【００４４】
本実施形態によれば、これら給電線５５または信号線３５、４５、８５からの接続線は、直近の開口部を通して直近経路により接続される。それゆえ、架台回転体の内側における煩雑な束線の捌きが、全く不要となると共に、敷設の状況を一目で理解できる利点がある。
【００４５】
また、給電線５５、または入出力情報の信号線４５、３５の架台回転部２０の胴筒の外周部２１における配置は、外周のいずれの位置においても均等と成り、その回転荷重バランスも均衡する。架台回転部２０の回転バランスは、その内側に配置する搭載ユニット・装置の重量及びその配置に依存する。したがって、架台回転部の設計当初に十分な設計・検討が行え、回転バランスの調整、及びその安定化を図る設計が容易となる。
【００４６】
また、本実施形態によれば、保守点検作業時及び設置後の更新作業時において、従来の束線による配線接続に比べて、接続ケーブルの敷設が整然となされ、一目で敷線状況が理解できる。したがって、作業担当者に執って、接続変更などの現地作業を容易で、迅速な対応ができる効果も有する。
【００４７】
更に本実施形態よれば、架台回転部２０の内側に配設されたユニット・装置からの電磁的ノイズが架台回転部の金属製の胴筒部により遮蔽され、周辺機器への電磁的ノイズの影響を抑える効果も有する。
【００４８】
＜第２の実施形態＞
この第２の実施形態においては、第１の実施形態のフラットケーブルに替えて、例えば、図１（ｂ）に示す機器や装置の接続部に、折り曲げ可能なフレキシブル基板にて接続した共通仕様のマザーコネクタとして接続コネクタ３１ｃ、３２ｃ、または接続コネクタ４１ｃ、４２ｃを用いる。
【００４９】
このようにした上で、高電圧発生装置３１、Ｘ線管制御装置３２、または検出データ収集装置４１、検出器制御装置４２の各ユニット部側において、接続を要する接点だけが有効に接続するように接続端子を設定する。即ち、端子接続するコネクタの接点対部にて、対応装置に導通をする所定の接点を確保し、所要の接点対においてのみ、電力または信号・データの入出力を行うようにする。このような接続をしたコネクタは、その対象機器・装置に、所要の電力及び信号・データを供給し出力できる。
【００５０】
本実施形態よれば、オプションにより照明機器追加設置されるような場合にも、例えば、検出データ収集装置４１と検出器制御装置４２の設置位置を入れ替え、バランスをとることができる。これらの入れ替えた機器側において要/不要のいずれかの接点対応をするので、接続する接続コネクタ４１ｃ、４２ｃに対し、何ら変更、調整を要せずにこれらの接続コネクタをそのまま使用することができ、架台回転部２０のフレキシビリティを高めることができる。
【００５１】
＜第３の実施形態＞
この実施形態３では、架台回転体１１の共に設けられる給電線５５’と給電スリップリング５６ｓに対し、電源供給スリップブラシ５６ｂの滑動性を高めるために形成した絶縁物によるリング溝（ピット）５６ｐを、外周部２１にその円周に沿って環状に設け、その中に給電スリップリング５６ｓを形成・配置する。
【００５２】
給電スリップリング５６ｓは、図１（ａ）に示す電力供給の給電線５０と同様に機能・作動し、これに隣接させて、データ・制御系の入力情報信号線４５、出力情報信号線３５、及び相互信号線８５とから成る信号線８０も外周部２１に形成・配置する。
【００５３】
このように、架台回転部２０の外周部２１に配置した給電スリップリング５６ｓを兼ねる給電線５５’、及びデータ・制御系の入力情報信号線４５、出力情報信号線３５と相互信号線８５の信号線８０各々から、架台回転体１１の内側に配置される高電圧発生装置３１、Ｘ線管制御装置３２、検出データ収集装置４１、検出器制御装置４２などへの電力供給及びデータ・制御系情報の入力・出力は前述の実施形態１の場合と同様に行われる。
【００５４】
例えば図３に示すように、本実施形態における電力供給の接続ケーブル、例えば接続ケーブル５３ａまたは５３ｃは、給電線５５’を兼ねて外周部２１に配置される給電スリップリング５６ｓの対象導線の背部から引き出して、その近傍に設けられる、開口部５２ａ、または５２ｃなどから、架台回転体１１の内側に引き込んで、コネクタ３１ｃまたは４１ｃの電源供給に対応する端子へ接続する。
【００５５】
これらコネクタ３１ｃ、４１ｃは、例えば高電圧発生装置３１、検出データ収集装置４１に接続されて、電源電力供給と信号・データの受け渡しが行われる。また、図３に示されていない、架台回転体１１の向こう側となる内側に配設されるＸ線管制御装置３２、検出器制御装置４２への接続についても、同様に信号・データの受け渡しと共に、電源電力の供給を行う。
【００５６】
架台回転部２０に搭載される、例えば高電圧発生装置３１、Ｘ線管制御装置３２、検出データ収集装置４１、検出器制御装置４２などへの電力供給は、架台回転部２０の外周部２１に配置した給電スリップリング５６ｓを兼ねる給電線５５’から行われる。これら装置のデータ・制御系の入力・出力情報は、その外周部２１に、互いに分離し、重畳しないように扁平な形態で配置したデータ・制御系の入力情報信号線４５、出力情報信号線３５、及び相互信号線８５の信号線８０各々から、供給または入出力する。したがって、架台回転部２０の内側における束線ケーブル配線を不要とすることができ、従来の架台回転部の内部における煩雑な束線化したケーブル捌きがない、整然としたＸ線ＣＴ装置の接続ケーブル配置及びその設定ができる。
【００５７】
また、スリップリングを兼ねる給電線５５’により、電源供給系ケーブル敷設、及び内側部における束線ケーブル敷設がなく、架台回転部２０の軽量化を図ることができ、架台回転部２０の回転バランスの均衡性を高めることができる。これにより、架台回転部２０の高速回転をより安定に行うことも可能となる。
【００５８】
本発明によれば、全体の配線を整然とまとめ、各配線の分離を容易にし、調整やメンテナンスにおける、取り付けまたは取り外しが簡単にできる。しかも、電気信号の信頼性が向上し、機構的にも架台回転部の回転に対するバランスのばらつきも軽減でき、高速回転における安定性を向上する効果を有する。
【符号の説明】
【００５９】
１０・・・Ｘ線ＣＴ装置、
１１・・・架台回転体、
１２・・・架台寝台制御部、
１２ａ・・・架台回転駆動部、
１２ｂ・・・寝台移動部、
１３・・・Ｘ線制御部、
１４・・・データ収集制御部、
１７・・・表示部、
１９・・・システム制御部、
２０・・・架台回転部、
２１・・・外周部、
２３・・・架台回転モータ、
２５・・・寝台、
３０・・・Ｘ線管、
３１・・・高電圧発生装置、
３１ａ、３２ａ、４１ａ、４２ａ・・・接続ケーブル、
３１ｃ、３２ｃ、４１ｃ、４２ｃ・・・接続コネクタ、
３２・・・Ｘ線管制御装置、
４０・・・Ｘ線検出器、
４１・・・検出データ収集装置、
４２・・・検出器制御装置、
４５・・・入力情報信号線、
４５ｂ・・・入力情報信号系スリップブラシ群
４５ｓ・・・入力情報信号系スリップリング群
５０・・・電力供給部、
５０Ｌ，５５，５５’・・・給電線、
５１ｂ，５６ｂ・・・給電スリップブラシ群、
５１ｓ，５６ｓ・・・給電スリップリング群、
６０・・・架台回転部、
７０・・・架台固定部、
８０・・・信号線、
８５・・・相互信号線。
【図１】
2010252913.tif 000003
【図２】
2010252913.tif 000004
【図３】
2010252913.tif 000005